(57)【要約】      （修正有）【課題】同じ仕様のロータコアを用いても段階的に要求されるモータ出力を満足させることのできる電動圧縮機用のリラクタンストルクを利用する同期モータの提供。【解決手段】ステータ３０と、ステータ３０の内部に配置され、磁極に対応して磁石保持スリット４３が形成されるロータ４０とを備えるモータ部に関する。ロータ４０には、磁極に対応して、点対称な内側スリット４３ａと外側スリット４３ｂが径方向に沿って配置される。内側スリット４３ａは、平面形状が矩形状の第１保持部４３１ａと、第２保持部４３２ａと、第３保持部４３３ａとが連なって形成され、各保持部は平面方向の磁石収容長さＬ１ａ、Ｌ２ａ、Ｌ３ａが等しく設定されている。外側スリット４３ｂは、第１保持部４３１ｂと、第２保持部４３２ｂと、第３保持部４３３ｂとが連なって形成され、各保持部は平面方向の磁石収容長さＬ１ｂ、Ｌ２ｂ、Ｌ３ｂが等しく設定されている。【選択図】図２
2012196034.tif 000002
【特許請求の範囲】
【請求項１】
ステータと、
前記ステータの内部に配置され、磁極に対応して磁石保持スリットが形成されるロータと、を備え、
複数の前記磁石保持スリットが、前記磁極に対応して、径方向に沿って配置され、
各々の前記磁石保持スリットは、平面方向の磁石収容長さの等しい３つの直方体状の第１保持部、第２保持部、第３保持部の組合せによって形成され、
各々の前記磁石保持スリットは、平面視して、ロータの中心に対して点対称であり、径方向の外側に開口する凹状に形成される、
ことを特徴とする電動圧縮機用リラクタンスモータを利用する同期モータ。
【請求項２】
前記磁石保持スリットが磁気的な空隙を構成して使用に供される、
請求項１に記載の電動圧縮機用リラクタンスモータを利用する同期モータ。
【請求項３】
前記磁石保持スリットに永久磁石が挿入されて使用に供される、
請求項１に記載の電動圧縮機用リラクタンスモータを利用する同期モータ。
【請求項４】
前記磁石保持スリットの一部に永久磁石が保持され、他の前記磁石保持スリットは磁気的な空隙を構成して使用に供される、
請求項３に記載の電動圧縮機用リラクタンスモータを利用する同期モータ。
【請求項５】
複数の前記磁石保持スリットは、
径方向の内側に配置される内側スリットと、径方向の外側に配置される外側スリットと、からなり、
前記内側スリットで保持できる前記永久磁石の数は、前記外側スリットで保持できる前記永久磁石の数の整数倍である、
請求項１〜４のいずれか一項に記載の電動圧縮機用リラクタンスモータを利用する同期モータ。
【請求項６】
仕様が同じ直方体状の前記永久磁石が前記磁石保持スリットに保持される、
請求項３〜５のいずれか一項に記載の電動圧縮機用リラクタンスモータを利用する同期モータ。
【発明の詳細な説明】
【技術分野】
【０００１】
本発明は、自動車に搭載される空気調和装置を構成する電動圧縮機用リラクタンスモータ（リラクタンストルクを利用する同期モータを表す。以後、リラクタンスモータと表記。）に関する。
【背景技術】
【０００２】
電動圧縮機用モータは、永久磁石が埋設されたロータ（Ｒｏｔｏｒ、回転子）と、ロータの周囲に配置されるステータ（Ｓｔａｔｏｒ、固定子）とを備えている。ロータに圧縮機の回転軸を固定することで、圧縮機の駆動を実現する。ロータには、当該モータの極数（例えば４極）に応じて永久磁石が保持される。
永久磁石としては、コストを重視する場合には安価なフェライト磁石を用い、モータ出力あるいは小型化を重視する場合には強い磁力を発生する希土類磁石を用いることになる。
ロータコアに保持される永久磁石に関して特許文献１は、磁極毎に３つ以上で構成し、かつ磁極毎の３つ以上の永久磁石を少なくとも２種類の磁石材料で構成することを提案している。この提案によると、リラクタンストルクおよび磁束密度の選択幅を広げることができ、しかも磁束密度の低い磁石材料（例えばフェライト磁石）を併用することで、低コスト化を図ることができる、とされている。
【先行技術文献】
【特許文献】
【０００３】
【特許文献１】特開２００３−００００００号公報
【発明の概要】
【発明が解決しようとする課題】
【０００４】
空気調和装置の能力に応じて電動圧縮機用モータに要求される出力は多様であり、特許文献１の提案では、ステータに埋設される永久磁石の寸法、ロータの積層数、あるいはモータを収容するハウジングの寸法、といった仕様を出力に応じて設定する必要がある。そうすると、モータに要求される段階的な出力に応じて、異なる仕様のロータ、あるいはハウジングを用意しなければならず、電動圧縮機用モータのコストを上昇させる。
本発明は、この課題に基づいてなされたもので、同じ仕様のロータコアを用いても段階的に要求されるモータ出力を満足させることのできる電動圧縮機用リラクタンスモータを提供することを目的とする。
【課題を解決するための手段】
【０００５】
かかる目的のもと、本発明の電動圧縮機用リラクタンスモータは、ステータと、ロータと、を備える。ロータは、ステータの内部に配置され、かつ、磁極に対応して磁石保持スリットが形成される。本発明は、この磁石保持スリットが以下の特徴的な構成を備えている。
（１）複数の磁石保持スリットは、磁極に対応して、径方向に沿って形成される。
（２）各々の磁石保持スリットは、平面方向の磁石収容長さの等しい３つの直方体状の第１保持部、第２保持部、第３保持部の組合せによって形成される。
（３）各々の磁石保持スリットは、平面視して、ロータの中心に対して点対称であり、径方向の外側に開口する凹状に形成される。
【０００６】
本発明による電動圧縮機用リラクタンスモータは、永久磁石を保持させることなく磁石保持スリットが磁気的な空隙を構成して使用に供することができるし、磁石保持スリットに永久磁石が挿入されて使用に供することができる。前者はリラクタンストルクのみで駆動されるシンクロナスリラクタンスモータを構成し、後者はリラクタンストルクに加えて永久磁石によるトルクにより駆動される埋込磁石型モータを構成する。本発明による電動圧縮機用リラクタンスモータは、磁石保持スリットの一部に永久磁石が保持され、他の磁石保持スリットには永久磁石が保持されることなく磁気的な空隙として使用に供することができる。このように、磁石保持スリット４３に保持される永久磁石の量（数）を調整することにより、本発明の電動圧縮機用リラクタンスモータは、多段階の出力を実現できる。
また、本発明の電動圧縮機用リラクタンスモータは、複数の磁石保持スリットを、径方向の内側に配置される内側スリットと、径方向の外側に配置される外側スリットと、から構成することができる。この場合、内側スリットで保持できる永久磁石の数を、外側スリットで保持できる永久磁石の数の整数倍とすることができる。この場合、同じ仕様の永久磁石を用いると、磁石保持スリットを漏れなく使い切りながら、最大量の永久磁石をロータに保持させることができる。
さらに、本発明による電動圧縮機用リラクタンスモータは、仕様が同じでしかも製造の容易な直方体状の永久磁石を用いれば、低減に寄与する。
【発明の効果】
【０００７】
本発明によれば、同じ仕様のロータコアを用いながらも、永久磁石を用いることのないリラクタンスモータとして機能する場合をも含め、永久磁石の数を調整することにより、出力を多段階に調整することができる。
【図面の簡単な説明】
【０００８】
【図１】本実施の形態における電動圧縮機の縦断面図である。
【図２】本実施の形態におけるリラクタンスモータのステータ及びロータを示し、（ａ）は平面図、（ｂ）は磁石保持スリット（内側スリット、外側スリット）の拡大図を示す。
【図３】本実施の形態におけるリラクタンスモータのステータ及びロータを示し、（ａ）は永久磁石がない場合を、（ｂ）は最小の永久磁石の数の場合を、（ｃ）は中間の永久磁石の数の場合を、（ｄ）は最大の永久磁石の数の場合を示す。
【図４】本実施の形態におけるリラクタンスモータのステータと、磁石保持スリットに永久磁石が保持されたロータを示し、（ａ）はフェライト磁石を用いた場合を、（ｂ）は希土類磁石を用いた場合を、（ｃ）は希土類磁石とフェライト磁石を用いた場合を示す。
【図５】本実施の形態に用いられる永久磁石を示す。
【発明を実施するための形態】
【０００９】
以下、添付図面に示す実施の形態に基づいてこの発明を詳細に説明する。
図１に示すように、電動圧縮機１０は、ハウジング１１内にモータ部２０およびスクロール式の圧縮部５０が収容されている。この電動圧縮機１０は、例えば自動車に搭載される空気調和装置に用いられる。
【００１０】
図１に示したように、ハウジング１１のモータ部２０が設けられた側の端部に形成された冷媒導入ポート（図示無し）からハウジング１１内に冷媒が導入され、圧縮部５０が設けられた側の端部に形成された冷媒吐出ポート（図示無し）から、圧縮部５０によって圧縮された冷媒を吐出する。
【００１１】
モータ部２０は、ハウジング１１に固定されたステータ（stator、固定子）３０と、ステータ３０の内側で回転自在に設けられたロータ（rotor、回転子）４０とを備える。ロータ４０は、主軸２３の外周部に嵌合され、主軸２３は、その両端がハウジング１１に回転自在に支持されている。モータ部２０は、極数が４の電動圧縮機用埋込磁石型モータである。
【００１２】
圧縮部５０は、ハウジング１１に固定された固定スクロール５１と、主軸２３の回転に伴って回転する旋回スクロール５２と、を備える。
固定スクロール５１、旋回スクロール５２は、それぞれ円板状の端板５１ａ、５２ａの一面側に、渦巻状のスクロール壁５１ｂ、５２ｂが立設されている。これら固定スクロール５１と旋回スクロール５２は、スクロール壁５１ｂ、５２ｂを互いに組み合わせて、双方のスクロール壁５１ｂ、５２ｂ間に圧縮室を形成している。
【００１３】
このような電動圧縮機１０の外殻を形成するハウジング１１は、モータ部２０および主軸２３を収容するモータハウジング１１Ａと、主軸２３および圧縮部５０を収容する圧縮部ハウジング１１Ｂと、図示を省略するインバータを収容するインバータハウジング１１Ｃとから構成されている。これらモータハウジング１１Ａ、圧縮部ハウジング１１Ｂ、インバータハウジング１１Ｃは、それぞれ、ボルトやノックピンにより一体に締結されて内部が封止される。
【００１４】
さて、図２に示されるように、モータ部２０を構成するステータ３０は、ロータ４０の外周を囲むように設けられたステータコア３１と、このステータコア３１に取り付けられる電線から構成される巻線（図示を省略）と、を備えている。
ステータコア３１は、略円環状をなし、導電材料である薄肉の磁性鋼板を積層して構成されている。ステータコア３１は、その内周壁において周方向に所定の間隔を隔てて設けられた複数の巻線スロット３３が形成されており、この巻線スロット３３に巻線が施される。この巻線スロット３３は、巻線の形態として分布型を想定しているが、本発明はこれに限定されず、集中巻きにより巻線を施すものにも適用できる。ステータコア３１は、電源から巻線へ通電することにより、ステータコア３１の内側に回転磁界を発生させる。ステータコア３１は、例えば磁性鋼板をプレス加工、レーザ加工などの加工によって形成される。以下説明する、磁石保持スリット４３、軸貫通孔４５も同様である。
【００１５】
モータ部２０を構成するロータ４０は、ロータコア４１と、ロータコア４１に形成される複数（本例では４つ）の磁石保持スリット４３と、主軸２３が貫通される軸貫通孔４５と、を備えている。後述する永久磁石ＭＧは、磁石保持スリット４３に圧入され、必要に応じて接着剤を用いることにより、磁石保持スリット４３を介してロータコア４１に保持される。なお、本願では便宜上、単に磁石保持スリット４３に保持される、ということがある。
ロータコア４１は、略円環状をなし、薄肉の磁性鋼板を積層して構成されている。ロータコア４１の中心部には、前述した電動圧縮機１０の主軸２３が挿通される軸貫通孔４５が形成されている。軸貫通孔４５に主軸２３が圧入されることにより、ロータコア４１は主軸２３に固定される。
【００１６】
軸貫通孔４５の周囲には、周方向に等間隔を隔てて、極数に対応して４つの磁石保持スリット４３が形成されている。各磁石保持スリット４３は、内側スリット４３ａと外側スリット４３ｂの組から構成される。内側スリット４３ａは径方向の内側に配置され、外側スリット４３ｂは径方向の外側に配置される。
【００１７】
各組の磁石保持スリット４３（内側スリット４３ａ、外側スリット４３ｂ）は、永久磁石ＭＧが保持されていない状態で、ロータコア４１の中心軸側から外周側への磁束の通過の障害となる。一方、ロータコア４１の周方向において、隣接する磁石保持スリット４３に挟まれる部分は、それぞれ、ロータコア４１の中心軸側から外周側への磁束の通過が容易であり、突極部となる。
【００１８】
内側スリット４３ａ、外側スリット４３ｂはともに、平面視した形状が、ロータ４０の径方向の外側に開口を有する凹状とされており、より具体的には以下のとおりである。
内側スリット４３ａは、第１保持部４３１ａと、第２保持部４３２ａと、第３保持部４３３ａとから構成される。いずれの保持部もロータコア４１を厚さ方向に貫通する直方体状の空隙からなる。外側スリット４３ｂも同様である。
以上の第１保持部４３１ａと、第２保持部４３２ａと、第３保持部４３３ａとが連なって内側スリット４３ａが形成される。第１保持部４３１ａと、第２保持部４３２ａと、第３保持部４３３ａとは、各々の平面方向の磁石収容長さＬ１ａ、Ｌ２ａ、Ｌ３ａが等しく設定されている（図２（ｂ））。ここで、磁石収容長さが等しい、とは誤差の違いを許容することは当然である。
【００１９】
内側スリット４３ａは、その両端部がロータコア４１の外周面にまでは達していない。そのため、対をなす第２保持部４３２ａと第３保持部４３３ａのそれぞれとロータコア４１の外周面との間に連結部４４ａが設けられる。この連結部４４ａが設けられていることにより、ロータ４０の機械的強度を確保することができる。このことは外側スリット４３ｂについても同様に連結部４４ｂが設けられる。そして、内側スリット４３ａの連結部４４ａ、外側スリット４３ｂの連結部４４ｂとは、径方向の寸法が等しく設定されている。つまり、内側スリット４３ａ及び外側スリット４３ｂは、同一円周上に各々の両端部が位置する。
【００２０】
次に、第１保持部４３１ａは、ロータ４０の径方向に直交して配置される。
第２保持部４３２ａは、一方端が第１保持部４３１ａの一方端に連なるとともに、他方端が第１保持部４３１ａよりも径方向の外側に位置される。
第３保持部４３３ａは、一方端が第１保持部４３１ａの一方端に連なるとともに、他方端が第１保持部４３１ａよりも径方向の外側に位置される。
以上のように構成される各々の内側スリット４３ａは、ロータ４０の中心に対して点対称である。
【００２１】
外側スリット４３ｂは、第１保持部４３１ｂと、第２保持部４３２ｂと、第３保持部４３３ｂとから構成される。
平面形状が矩形状の第１保持部４３１ｂと、第２保持部４３２ｂと、第３保持部４３３ｂとが連なって外側スリット４３ｂが形成される。第１保持部４３１ｂと、第２保持部４３２ｂと、第３保持部４３３ｂとは、各々の平面方向の磁石収容長さＬ１ｂ、Ｌ２ｂ、Ｌ３ｂが等しく設定されている（図２（ｂ））。磁石収容長さＬ１ｂ、Ｌ２ｂ、Ｌ３ｂは前述した内側スリット４３ａの磁石収容長さＬ１ａ、Ｌ２ａ、Ｌ３ａと、以下の関係を有している。つまり、内側スリット４３ａのほうが外側スリット４３ｂに比べてより多く（２倍）の量の永久磁石ＭＧを収容、保持することができる。
Ｌ１ａ＝２×Ｌ１ｂ、Ｌ２ａ＝２×Ｌ２ｂ、Ｌ３ａ＝２×Ｌ３ｂ、
【００２２】
次に、第１保持部４３１ｂは、ロータ４０の径方向に直交して配置される。したがって、第１保持部４３１ｂは、内側スリット４３ａの第１保持部４３１ａと平行である。
第２保持部４３２ｂは、一方端が第１保持部４３１ｂの一方端に連なるとともに、他方端が第１保持部４３１ｂよりも径方向の外側に位置される。第２保持部４３２ｂは、内側スリット４３ａの第２保持部４３２ａと平行である。
第３保持部４３３ｂは、一方端が第１保持部４３１ｂの一方端に連なるとともに、他方端が第１保持部４３１ｂよりも径方向の外側に位置される。第３保持部４３３ｂは、内側スリット４３ａの第３保持部４３３ａと平行である。
以上のように構成される外側スリット４３ｂも、ロータ４０の中心に対して点対称である。また、内側スリット４３ａと外側スリット４３ｂの間隔Ｌａｂは、一方端から他方端に掛けて均等に設定されている。
【００２３】
内側スリット４３ａ、外側スリット４３ｂは電動圧縮機１０の仕様に基づいて適宜設定されるものであるが、概ね以下の範囲から設定されるのがよい。
内側スリット４３ａ両端の角度θ１：極角度（３６０°／極数）の０．５〜０．６倍
外側スリット４３ｂ両端の角度θ２：極角度（３６０°／極数）の０．８〜０．９倍
内側スリット４３ａの埋込深さＤ１：ロータ４０半径の２／４〜２／３
外側スリット４３ｂの埋込深さＤ２：ロータ４０半径の１／４〜１／３
【００２４】
さて、以上の内側スリット４３ａ及び外側スリット４３ｂを備えるロータ４０は、ロータ４０の径方向の外側に開口を有する凹状とされる内側スリット４３ａ及び外側スリット４３ｂがフラックスバリアとして機能する。したがって、永久磁石ＭＧを保持することなく磁石保持スリット４３が空隙のままであれば、モータ部２０はリラクタンストルクのみで駆動されるシンクロナスリラクタンスモータとして機能する。また、磁石保持スリット４３に磁石が保持されれば、リラクタンストルクに加えて、永久磁石と電流によるトルクを動力源とする埋込磁石型モータとして機能する。以下、図３を参照しながら説明するように、シンクロナスリラクタンスモータも含め、本実施の形態によるモータ部２０は、ロータ４０が単一の形状でありながら、多様な出力に対応することができる。
【００２５】
図３（ａ）は、永久磁石ＭＧを保持することなく磁石保持スリット４３を空隙のままとしているので、磁石保持スリット４３がフラックスバリアの役割を果たし、隣接する磁石保持スリット４３の間の部分が突極部となり、このロータ４０を備えるモータ部２０は、リラクタンスモータとして働く。この場合のモータ部２０は、永久磁石ＭＧによるトルクが得られないので、最小出力に対応する。
【００２６】
次に、永久磁石ＭＧを用いる埋込磁石型モータとしてモータ部２０が機能する場合について説明する。
ここで用いられる永久磁石ＭＧは、形状が図５（ａ）に示されるように直方体（幅Ｗ×厚さＴ×長さＬ）をなしている。永久磁石ＭＧとしては、フェライト磁石、希土類磁石など各種材質を用いることができる。
また、後述するように、モータ部２０は、モータ部２０に要求される出力に応じて、磁石保持スリット４３で保持する永久磁石ＭＧの量（個数）を調整することができるが、これに加えて永久磁石ＭＧの材質を選択することができる。
【００２７】
図３（ｂ）〜図３（ｄ）は、各々、モータ部２０に要求される出力が最小（永久磁石ＭＧを保持する場合）、中間、最大に対応した数の永久磁石ＭＧが磁石保持スリット４３に保持されている。
ここで、図３（ｂ）〜図３（ｄ）からも明らかなように、内側スリット４３ａには外側スリット４３ｂの２倍の数の永久磁石ＭＧを保持することができる。そして、一つの磁石保持スリット４３（内側スリット４３ａと外側スリット４３ｂの組合せ）には、最小で１個から最大で９個までの数の永久磁石ＭＧを段階的に保持することができる。以下には、磁石保持スリット４３で保持できる永久磁石ＭＧの数の例を示しておく。なお、永久磁石ＭＧの寸法は同じものとする。
【００２８】
内側スリット４３ａ：
２個（第１保持部４３１ａに２個）
４個（第１保持部４３１ａに２個、第２保持部４３２ａと第３保持部４３３ａに１個ずつ）
６個（第１保持部４３１ａ、第２保持部４３２ａ、第３保持部４３３ａに２個ずつ）
外側スリット４３ｂ：
１個（第１保持部４３１ｂ）
３個（第１保持部４３１ｂ、第２保持部４３２ｂ、第３保持部４３３ｂに１個ずつ）
【００２９】
以上説明したとおりであって、モータ部２０は、永久磁石ＭＧを用いることのないリラクタンスモータとして機能する場合をも含め、永久磁石ＭＧの数を調整することにより、出力を多段階に調整することができる。
このモータ部２０は、磁石保持スリット４３で保持できる永久磁石ＭＧの数を多段階に調整することを、同じ仕様のロータコア４１で実現することができるので、打ち抜き用の金型が一種類で足りるなど、ロータコア４１の製造効率の向上及び製造コストの低減に寄与する。また、同じ仕様のロータコア４１を用いることができるということは、モータ部２０の出力を多段階に調整できることを前提としながらも、ハウジング１１も同じ仕様のものを用意すればよいので、ハウジング１１の製造効率の向上及び製造コストの低減がなされる。加えて、永久磁石ＭＧについても同じ仕様（形状、寸法、材質）でしかもアーク状に比べて製造の容易な直方体状のものを用いることができるので、この観点からも、製造効率の向上及び製造コストの低減がなされる。要するに、本実施の形態によると、電動圧縮機１０の製造効率が向上するとともに、製造コストが低減される。
【００３０】
以上では、永久磁石ＭＧの数によりモータ部２０の出力を調整する例を説明したが、本発明は、永久磁石ＭＧの材質を替えることによりモータ部２０の出力を調整することができる。例えば、図４（ａ）はフェライト磁石からなる永久磁石ＦＭＧが内側スリット４３ａに保持された例を示し、図４（ｂ）は希土類磁石からなる永久磁石ＲＭＧが内側スリット４３ａに保持された例を示している。希土類磁石の方がフェライト磁石に比べて磁力が大きいので、モータ部２０の出力を大きくすることができる。
【００３１】
図４（ａ）、（ｂ）に示した永久磁石ＭＧは、図５（ｂ）に示すように図５（ａ）に示した永久磁石ＭＧの２倍（２Ｗ）の幅を有しており、したがって、内側スリット４３ａに一つの永久磁石ＭＧを挿入し保持させればよい。ただし、この場合でも、外側スリット４３ｂに保持される永久磁石ＭＧは図５（ａ）に示した幅Ｗの永久磁石ＭＧとされる。この場合、２種類の幅が異なる永久磁石ＭＧを用意することにより、内側スリット４３ａに挿入する永久磁石ＭＧの数が１つで足りるので、幅がＷの２つの永久磁石ＭＧを内側スリット４３ａに保持させるのに比べて、永久磁石ＭＧの挿入作業が簡略化できる。
【００３２】
永久磁石ＭＧの材質の選択は、フェライト磁石と希土類磁石からのみに限るわけではない。例えば、同じ希土類磁石でもＳｍＣｏ系磁石とＮｄＦｅＢ系磁石とでは磁気特性が相違するので、これらを選択の対象とすることができる。フェライト磁石についても同様である。
また、本発明は、複数材質の永久磁石ＭＧを用いることもできる。図４（ｃ）はその一例を示しており、内側スリット４３ａにフェライト磁石からなる永久磁石ＦＭＧを配置し、外側スリット４３ｂに希土類磁石からなる永久磁石ＲＭＧを配置することで、モータ部２０の出力を調整することができる。なお、フェライト磁石と希土類磁石を用いる場合、図４（ｃ）に示すように、希土類磁石を外側スリット４３ｂに配置することが好ましい。コイルから印加される磁界（逆磁界）の強さがロータコア４１の外側ほど強いので、そこには保磁力の強い希土類磁石を配置するのである。
【００３３】
以上以外にも、本発明の主旨を逸脱しない限り、上記実施の形態で挙げた構成を取捨選択したり、他の構成に適宜変更することが可能である。
例えば、ここでは内側スリット４３ａと外側スリット４３ｂの２つから各組の磁石保持スリットが構成されるが、これに限定されるものではなく、本発明は径方向に沿って形成される３つ以上のスリット群から各磁石保持スリット４３を構成することができる。
また、磁石保持スリット４３は、永久磁石ＭＧを用いないシンクロナスリラクタンスモータとしてモータ部２０を用いる場合には、磁石保持スリット４３（内側スリット４３ａ、外側スリット４３ｂ）は、通常は空隙のままとされるが、エポキシ樹脂、アクリル樹脂等の樹脂材料や、アルミニウム、アルミニウム合金、銅、銅合金等の非磁性金属等の非磁性材料が充填されていてもよい。
さらに、永久磁石ＭＧを圧入することにより磁石保持スリット４３に保持させることができるが、さらに接着剤を用いて永久磁石ＭＧをより強固にロータコア４１に保持させることもできる。
さらにまた、永久磁石ＭＧの位置決めをするための係止爪４６を磁石保持スリット４３内に設けることができる（図２（ｂ））。
【符号の説明】
【００３４】
１０    電動圧縮機
１１    ハウジング
２０    モータ部
３０    ステータ
３１    ステータコア
３３    巻線スロット
４０    ロータ
４１    ロータコア
４３    磁石保持スリット
４３ａ    内側スリット
４３ｂ    外側スリット
４３１ａ、４３２ａ、４３３ａ    保持部
４３１ｂ、４３２ｂ、４３３ｂ    保持部
４５    軸貫通孔
４６    係止爪
５０    圧縮部
ＭＧ、ＦＭＧ、ＲＭＧ    永久磁石
【図１】
2012196034.tif 000003
【図２】
2012196034.tif 000004
【図３】
2012196034.tif 000005
【図４】
2012196034.tif 000006
【図５】
2012196034.tif 000007